(57)【要約】  【課題】電位治療はもとより振動マッサージ治療や温熱治療を施すことができる電位治療器を提供する。  【解決手段】電位治療器本体２から交流高電圧を電極３２ａに導き、電極３２ａを人体の所定部位に取り付けて電位治療を施す電位治療器１において、電極３２ａが収容された電極シート３２と、電熱を発生する面状発熱体３４と、振動を発生する振動ユニット３５とを積層し、電極シート３２と面状発熱体３４と振動ユニット３５を外被覆体３２で覆った通電パッド３を有する構造となっている。これにより、電極シート３２によって電位治療を行うことができることはもとより、面状発熱体３４から発生する電熱により温熱治療を行うことができ、また、振動ユニット３５から発生する振動により振動マッサージ治療を行うことができる。【選択図】  図４
2005312761.tif 000002
【特許請求の範囲】
【請求項１】
電位治療器本体から交流高電圧を電極に導き、該電極を人体の所定部位に取り付けて電位治療を施す電位治療器において、
前記電極が収容された電極シートと電熱を発生する面状発熱体を積層し、該電極シートと該面状発熱体を絶縁被覆材で覆った通電パッドを有する
ことを特徴とする電位治療器。
【請求項２】
電位治療器本体から交流高電圧を電極に導き、該電極を人体の所定部位に取り付けて電位治療を施す電位治療器において、
前記電極が収容された電極シートと振動を発生する振動ユニットを積層し、該電極シートと該振動ユニットを絶縁被覆材で覆った通電パッドを有する
ことを特徴とする電位治療器。
【請求項３】
電位治療器本体から交流高電圧を電極に導き、該電極を人体の所定部位に取り付けて電位治療を施す電位治療器において、
前記電極が収容された電極シートと、電熱を発生する面状発熱体と、振動を発生する振動ユニットとを積層し、該電極シートと該面状発熱体と該振動ユニットを絶縁被覆材で覆った通電パッドを有する
ことを特徴とする電位治療器。
【請求項４】
前記振動ユニットは振動発生装置と該振動発生装置で発生した振動を伝播する振動板とからなる
ことを特徴とする請求項２又は請求項３記載の電位治療器。
【請求項５】
前記振動板は可撓性部材で形成した
ことを特徴とする請求項４記載の電位治療器。
【請求項６】
前記振動ユニットを人体とは反対側に配置するとともに、該振動ユニットと前記絶縁被覆材との間には柔軟性の振動緩衝部材を配置した
ことを特徴とする請求項２乃至請求項４の何れか一項記載の電位治療器。
【請求項７】
前記電極シートと前記面状発熱体との間に絶縁シートを配置した
ことを特徴とする請求項１、請求項３、請求項４、請求項５又は請求項６記載の電位治療器。
【請求項８】
前記絶縁シートは積層方向に貫通する多数の貫通孔を有する
ことを特徴とする請求項７記載の電位治療器。
【請求項９】
前記電極シートを人体側に配置した
ことを特徴とする請求項１乃至請求項８の何れか一項記載の電位治療器。
【発明の詳細な説明】
【技術分野】
【０００１】
本発明は、電極に交流高電圧を導き、人体に電位治療を施す電位治療器に関するものである。
【背景技術】
【０００２】
従来、この種の電位治療器として、出願人は特許文献１に記載されたものを提案している。
【０００３】
電位治療器では一般に全身通電法と局所通電法とが採用されている。全身通電法は電界を人体全体に満遍なく包むよう形成し、これにより、人体表面の感覚受容器を刺激して自律神経系や内分泌系を調整している。一方、局所通電法は電界を人体の局所に集中的に形成し、これにより、人体局所への刺激により筋肉の凝りや痛みを緩和している。
【０００４】
前記出願人提案の電位治療器は、全身通電法と局所通電法の両者を利点を備えた電位治療器であり、この両者の利点を得るため、電極を数ｍｍの厚さの布で包み電極と人体表面との間に隙間を作る一方、電極面積が従来の局所通電法で使用されている電極よりも多少広くなっている。
【特許文献１】特開２００３−３２５６７８号公報
【発明の開示】
【発明が解決しようとする課題】
【０００５】
しかしながら、前記従来の電位治療器では電位治療のみを行うものであって、その他の機械的或いは熱的治療を行うことができず、多様な治療に対応できなかった。
【０００６】
本発明の目的は、前記従来の課題に鑑み、電位治療はもとより振動マッサージ治療や温熱治療も施すことができる電位治療器を提供することにある。
【課題を解決するための手段】
【０００７】
本発明は前記課題を解決するため、請求項１の発明は、電位治療器本体から交流高電圧を電極に導き、電極を人体の所定部位に取り付けて電位治療を施す電位治療器において、電極が収容された電極シートと電熱を発生する面状発熱体を積層し、電極シートと面状発熱体を絶縁被覆材で覆った通電パッドを有する構造となっている。
【０００８】
請求項１の発明によれば、電極シートによって電位治療を施すことができることはもとより、面状発熱体から発生する電熱により温熱治療を施すことができる。
【０００９】
請求項２の発明は、電位治療器本体から交流高電圧を電極に導き、電極を人体の所定部位に取り付けて電位治療を施す電位治療器において、電極が収容された電極シートと振動を発生する振動ユニットを積層し、電極シートと振動ユニットを絶縁被覆材で覆った通電パッドを有する構造となっている。
【００１０】
請求項２の発明によれば、電極シートによって電位治療を施すことができることはもとより、振動ユニットから発生する振動により振動マッサージ治療を施すことができる。
【００１１】
請求項３の発明は、電位治療器本体から交流高電圧を電極に導き、電極を人体の所定部位に取り付けて電位治療を施す電位治療器において、電極が収容された電極シートと、電熱を発生する面状発熱体と、振動を発生する振動ユニットとを積層し、電極シートと面状発熱体と振動ユニットを絶縁被覆材で覆った通電パッドを有する構造となっている。
【００１２】
請求項３の発明によれば、電極シートによって電位治療を施すことができることはもとより、面状発熱体から発生する電熱により温熱治療を施すことができ、また、振動ユニットから発生する振動により振動マッサージ治療を施すことができる。
【００１３】
請求項４の発明は、請求項２又は請求項３の電位治療器において、振動ユニットは振動発生装置と振動発生装置で発生した振動を伝播する振動板とからなるので、振動発生装置で発生した振動が振動板を通じて増幅及び拡散する。なお、振動板を可撓性部材で形成するようにしてもよい（請求項５の発明）。
【００１４】
請求項６の発明は、請求項２乃至請求項４に係る電位治療器において、振動ユニットを人体とは反対側に配置するとともに、振動ユニットと絶縁被覆材との間には柔軟性の振動緩衝部材を配置した構造となっている。
【００１５】
請求項６の発明によれば、振動ユニットの振動音が振動緩衝部材で吸収され、振動騒音が減衰されるし、また、外部から衝撃等が加わったとしても、この衝撃等もこの振動緩衝部材で吸収され、振動ユニットを含む各種機器を保護することができる。
【００１６】
請求項７の発明は、請求項１、請求項３、請求項４、請求項５又は請求項６に係る電位治療器において、電極シートと面状発熱体との間には絶縁シートが配置された構造となっている。請求項７の発明によれば、電極シートと面状発熱体との間で電界が遮断されるため、電極シート側の電界が面状発熱体側に漏れることがない。
【００１７】
請求項８の発明は、請求項７に係る電位治療器において、絶縁シートは積層方向に貫通する多数の貫通孔を有する構造となっている。請求項８の発明によれば、面状発熱体で発生した熱が各貫通孔を通じて電極シート側（人体側）にも効率よく伝導する。
【００１８】
なお、人体側に電極シートを配置することにより、電位治療の低下を防止することができる（請求項９の発明）。
【発明の効果】
【００１９】
本発明によれば、電位治療はもとより、温熱治療や振動マッサージ治療も行うことができ、使用者各種ニーズに対応する治療を行うことができる。
【発明を実施するための最良の形態】
【００２０】
図１乃至図５は本発明に電位治療器の一実施形態を示すもので、図１は電位治療器の全体斜視図、図２は通電パッドの分解斜視図、図３は通電パッドの内部構造の分解斜視図、図４は通電パッドの切欠断面図、図５は面状発熱体、モータ及び電極の電気配線図である。
【００２１】
本実施形態に係る電位治療器１の概略を図１を参照して説明する。電位治療器１は、電位治療器本体２と、通電パッド３と、電位治療器本体２から交流高電圧を導く通電コード４と、人体Ａや椅子Ｂを床などから絶縁するための絶縁マット５とから構成されている。
【００２２】
ここで、電位治療器本体２は、通電パッド３に出力される電圧を高電圧に変換する高圧トランス２１（図５に示す）や通電パッド３への通電をオンオフ制御するスイッチ群２２（図５に示す）等を有している。
【００２３】
通電パッド３は図２に示すように外被覆体３１で覆われており、外被覆体３１の内部に各種の通電機器が収容されている。外被覆体３１の材質はポリ塩化ビニル等の柔軟な絶縁性合成樹脂となっており、これにより、外被覆体３１が人体Ａの体表面形状に合わせて撓み、体表面と通電パッド３との密着性を向上させている。また、外被覆体３１に収容された通電機器は、図３に示すように、下側から順に（人体Ａに対する当て部３ａ側から順に）、電極シート３２、絶縁シート３３、面状発熱体３４、振動ユニット３５及び振動緩衝材３６が積み重なった状態で配置されている。
【００２４】
ここで、電極シート３２は、図４に示すように、通電コード４に接続された板状の電極３２ａを有しており、通電コード４の支線を通じて交流高電圧が導かれるようになっている。また、電極３２ａの上下面に幅広のカーボンフィルム３２ｂを接着して電極面積を拡大している。各カーボンフィルム３２ｂの外面にはスポンジ状の緩衝材３２ｃが接着されており、電極３２ａに対して加わる外部衝撃を緩和している。このように構成された各部材３２ａ，３２ｂ，３２ｃは柔軟な絶縁合成樹脂で形成された袋体３２ｄに収容されている。
【００２５】
絶縁シート３３は、図３及び図４に示すように、電極シート３２の上面を覆うもので、ポリエステルなどの絶縁性合成樹脂を材質とする立体繊維で形成されている。また、絶縁シート３３は、図３に示すように、上下に貫通する貫通孔３３ａを多数形成しており、各貫通孔３３ａを通じて輻射熱等の熱移動が促進されるようになっている。
【００２６】
面状発熱体３４は、図３に示すように、柔軟で方形の樹脂フィルム３４ａに電気抵抗体３４ｂが印刷されており、電気抵抗体３４ｂに通電コート４の支線を通じて交流電流が通電されるようになっている。なお、面状発熱体３４は設定温度以上とならないよう自己温度維持機能を有している。
【００２７】
振動ユニット３５は、図３及び図４に示すように、通電コード４の支線に接続したモータ３５ａと方形の振動板３５ｂとから構成されている。モータ３５ａの回転軸３５ｃには偏心した状態で分銅３５ｄが固定されており、モータ３５ａの回転により偏心振動が発生するようになっている。一方、振動板３５ｂは可撓性の合成樹脂板により形成されており、効率良い振動伝播が可能なように多少硬性を有する合成樹脂或いは金属で形成されている。また、振動板３５ｂの両側は多少下方に向かって屈曲しており、振動板３５ｂ全体で、電極シート３２、絶縁シート３３及び面状発熱体３４を上から覆うようになっている。また、モータ３５ａはモーターホルダ３５ｅに圧入され、このモーターホルダ３５ｅを介して振動板３５ｂの上面中央に固着されている。
【００２８】
振動緩衝材３６は振動や衝撃の減衰作用に優れたウレタンホーム等の合成樹脂が用いられている。また、振動緩衝材３６は、図４に示すように、振動板３５ｂの傾斜部の上面と外被覆体３１との間に２個介装されている。
【００２９】
以上のように、電極シート３２、面状発熱体３４及び振動ユニット３５が配置されているが、電極３２ａ、電気抵抗体３４ｂ及びモータ３５ａの電気回路は図５に示すようになっている。
【００３０】
即ち、交流電源２０に電極３２ａ、電気抵抗体３４ｂ及びモータ３５ａがそれぞれ並列に接続されている。交流電源２０から電極３２ａへの回路中には高圧トランス２１が設置され、例えば５，０００Ｖ以上の交流高電圧を電極３２ａに導いている。なお、高圧トランス２１の一次コイル２１ａと二次コイル２１ｂとの間には電位を安定化させる抵抗２３が介在され、また、二次コイル２１ｂと電極３２ａとの間には電流を制限する抵抗２４が接続されている。交流電源２０の回路中には電源スイッチ２２ａ、また、電極３２ａ、電気抵抗体３４ｂ及びモータ３５ａの回路中にはそれぞれ通電制御スイッチ２２ｂ，２２ｃ，２２ｄがぞれぞれ挿入されている。なお、モータ３５ａは直流の電源回路２５を通じてＤＣ３Ｖにて駆動され、また、面状発熱体３４は抵抗２６を通じてＡＣ２４Ｖで発熱するようになっている。
【００３１】
本実施形態に係る電位治療器１を用いるときは、電源スイッチ２２ａをオンし、図１に示すように、パッド３２の電極シート３２側を人体Ａの所定部位（例えば肩）に取り付ける。しかる後、電位治療を望むときは通電制御スイッチ２２ｂをオンし、温熱治療を望むときは通電制御スイッチ２２ｃをオンし、振動マッサージ治療を望むときは通電制御スイッチ２２ｄをオンする。ここで、２種以上の治療を望むときはその治療に対応する各制御スイッチ２２ｂ，２２ｃ，２２ｄを選択しオンする。
【００３２】
これにより、電極シート３２では交流高電圧が人体Ａに印加され電位治療が行われる。また、面状発熱体３３ではジュール熱が発生し、これが人体Ａに伝導して温熱治療が行われる。更に、振動ユニット３５では振動が発生し、この振動が振動板３５ｂを通じて人体Ａに伝播し、振動マッサージ治療が行われる。
【００３３】
本実施形態によれば、前述の如く、電位治療、温熱治療又は振動マッサージ治療の少なくとも一つを任意に選択でき、使用者のニーズに対応する各種治療を施すことができる。
【００３４】
また、電極シート３２と面状発熱体３３との間に絶縁シート３３を介在しているため、電極シート３２と面状発熱体３３との間で電界が遮断され、電極シート３２側の電界が面状発熱体３３側に漏れることがない。従って、電位治療の際に、人体Ａへの印加電圧が低くなることがない。
【００３５】
更に、絶縁シート３３には多数の貫通孔３３ａが設けられているため、面状発熱体３４で発生したジュール熱が各貫通孔３３ａを通じて電極シート３２側に効率よく伝導（輻射伝導や対流伝導）し、温熱治療を促進することができる。
【００３６】
更にまた、モータ３５ａの回転により発生した振動が振動板３５ｂを通じて拡散増幅されるため、振動マッサージ治療が更に促進される。
【００３７】
更にまた、振動ユニット３５と外被覆体３１との間に振動緩衝材３６が介在されているため、人体Ａとは逆側への振動の伝播が抑制されるし、また、外部から衝撃等が加わったときでも、この衝撃が振動緩衝部材３６で緩衝される。
【００３８】
図６及び図７は通電パッド３を２個用いた例を示している。各通電パッド３は図５の一点鎖線で示すように更に一個追加されている。また、各通電パッド３の当て部３ａとは逆側にベルト６を通し、ベルト６の端には互いに着脱自在の面状係止部材６ａ，６ｂが設けられている。このように構成された各通電パッド３を用いるときは、図６(a)(b)に示すように、例えば腕を各通電パッド３で両側から挟み込み、ベルト６の面状係止部材６ａ，６ｂを互いに係止すればよい。これにより、２個の通電パッド３で腕に対する各種治療が更に促進される。なお、図７(a)は各通電パッド３を腹と腰に装着した状態を示し、図７(b)は各通電パッド３を膝に装着した状態を示し、図７(c)は各通電パッド３をふくらはぎに装着した状態を示し、図７(d)は各通電パッド３を大腿部に装着した状態を示している。
【００３９】
図８及び図９は振動ユニット３７のモータ３７ａの他の設置例を示している。なお、前記振動ユニット３５と同一構成部分は同一符号を用いて説明する。
【００４０】
この振動ユニット３７は、図８に示すように、通電コード４の支線に接続したモータ３７ａと前記実施形態と同様の振動板３５ｂとから構成されている。モータ３７ａの回転軸３７ｃには偏心した状態で分銅３７ｄが固定されており、モータ３７ａの回転により偏心振動が発生するようになっている。
【００４１】
ここで、モータ３７ａのモーターホルダ３７ｅはモータ３７ａの外面形状に対応するよう断面略逆Ｕ字状に形成されている。モーターホルダ３７ｅの両下端の内側には前後方向に内側支持片３７ｆが延在され、一方、モーターホルダ３７ｅの両下端の外側には前後方向に外側支持片３７ｇが延在されている。各外側支持片３７ｇには前後に２個のネジ固定穴３７ｈが形成されている。
【００４２】
モータホルダ３７ｅの上部内面には前後方向に間隔をおいて２個のモータ保持片３７ｉが下向きに突設されている。各モータ保持片３７ｉの間隔はモータ３７ａの前後方向寸法より僅かに大きく形成しており、モータ３７ａの上部を両側から保持するようになっている。
【００４３】
また、振動板３５ｂにおいて各ネジ固定穴３７ｈと上下に対応する部位にはネジ貫通穴３７ｊが穿設され、また、振動板３５ｂの下面に配置されたモーター固定板３７ｋにも同じくネジ貫通穴３７ｍが穿設されている。
【００４４】
以上のようなモータ設置構造によりモータ３７ａを振動板３５ｂに取り付けるときは、次のように作業する。
【００４５】
まず、モーターホルダ３７ｅの内側にモータ３７ａを挟み込むように圧入する。これにより、モータ３７ａの下端が各内側支持片３７上に保持される一方、モータ３７ａの上部が各モータ保持片３７ｉで保持される。
【００４６】
次いで、ネジ３７ｎを下からネジ貫通穴３７ｍ及びネジ貫通穴３７ｊに通し、更にネジ固定穴３７ｈにねじ込む。これにより、モータ３７ａが図８に示すように振動板３５ｂに締結される。
【００４７】
本実施形態によれば、モータ３７ａが強固に振動板３５ｂに締結されるため、モータ３７ａに大きな振動が加わるときでも、振動板３５ｂからモータ３５ｂが外れることがない。
【図面の簡単な説明】
【００４８】
【図１】電位治療器の全体斜視図
【図２】通電パッドの分解斜視図
【図３】通電パッドの内部構造の分解斜視図
【図４】通電パッドの切欠断面図
【図５】面状発熱体、モータ及び電極の電気配線図
【図６】腕への通電パッドの取り付け方法を示す斜視図
【図７】人体の各部位への通電パッドの取り付け方法を示す斜視図
【図８】モータの他の設置構造を示す分解斜視図
【図９】モータの他の設置構造を示す断面図
【符号の説明】
【００４９】
１…電位治療器、２…電位治療器本体、３…通電パッド、３１…外被覆体、３２…電極シート、３２ａ…電極、３３…絶縁シート、３３ａ…貫通孔、３４…面状発熱体、３５，３７…振動ユニット、３５ａ，３７ａ…モータ、３５ｂ…振動板、３６…振動緩衝部材、Ａ…人体。
【図１】
2005312761.tif 000003
【図２】
2005312761.tif 000004
【図３】
2005312761.tif 000005
【図４】
2005312761.tif 000006
【図５】
2005312761.tif 000007
【図６】
2005312761.tif 000008
【図７】
2005312761.tif 000009
【図８】
2005312761.tif 000010
【図９】
2005312761.tif 000011